【手続補正書】
【提出日】平成26年12月24日(2014.12.24)
【手続補正１】
【補正対象書類名】特許請求の範囲
【補正対象項目名】全文
【補正方法】変更
【補正の内容】
【特許請求の範囲】
【請求項１】
直流から交流もしくは交流から直流に変換するマルチレベル電力変換回路であって，2個の直流電源を直列接続した直流電源直列回路と，前記直流電源直列回路の正極端子と負極端子間に接続されダイオードが逆並列接続された半導体スイッチを２ｎ（ｎは３以上の整数）個直列接続した第１の半導体スイッチ直列回路と，前記第１の半導体スイッチ直列回路の前記直流電源直列回路の正極端子から第ｎ個目の半導体スイッチのコレクタと第ｎ＋１個目の半導体スイッチのエミッタ間及びｍは１からｎ−２までの整数を取る第ｎ−ｍ個目の半導体スイッチのコレクタと第ｎ＋ｍ＋１個目の半導体スイッチのエミッタ間にそれぞれ接続されたｎ−１個のコンデンサと，前記第１の半導体スイッチ直列回路の前記直流電源直列回路の正極端子から第１個目の半導体スイッチのエミッタと第２ｎ個目の半導体スイッチのコレクタとの間に接続されたダイオードが逆並列接続された半導体スイッチを２ｎ−２個直列接続した第２の半導体スイッチ直列回路と，前記第２の半導体スイッチ直列回路の正側から第ｎ−１個目の半導体スイッチのコレクタと第ｎ個目の半導体スイッチのエミッタとの間及びｎが４以上の場合はｍが２からｎ−２までの整数を取る第ｎ−ｍ個目の半導体スイッチのコレクタと第ｎ＋ｍ−１個目の半導体スイッチのエミッタとの間にそれぞれ接続されたｎ−２個のコンデンサと，前記第２の半導体スイッチ直列回路の第ｎ−１個目の半導体スイッチのエミッタと前記直流電源直列回路の中間電位点との間に接続された双方向性のスイッチングが可能な双方向スイッチと、を備えたことを特徴とするマルチレベル電力変換回路。
【請求項２】
請求項１において，２ｎ＋１レベルの電圧変化を有する電力変換回路を構成することを特徴とするマルチレベル電力変換回路。
【請求項３】
請求項１又は２において、前記第１の半導体スイッチ直列回路の第１個目又は第２ｎ個目の半導体スイッチを複数個の直列接続構成としたことを特徴とするマルチレベル電力変換回路。
【手続補正２】
【補正対象書類名】明細書
【補正対象項目名】００１２
【補正方法】変更
【補正の内容】
【００１２】
【特許文献１】特表２００９−５２５７１７号公報
【手続補正３】
【補正対象書類名】明細書
【補正対象項目名】００１９
【補正方法】変更
【補正の内容】
【００１９】
上述の課題を解決するために、第1の発明においては、直流から交流もしくは交流から
直流に変換するマルチレベル電力変換回路であって、2個の直流電源を直列接続した直流
電源直列回路と、前記直流電源直列回路の正極端子と負極端子間に接続されダイオードが逆並列接続された半導体スイッチを２ｎ（ｎは３以上の整数）個直列接続した第１の半導体スイッチ直列回路と、前記第１の半導体スイッチ直列回路の前記直流電源直列回路の正極端子から第ｎ個目の半導体スイッチのコレクタと第ｎ＋１個目の半導体スイッチのエミッタ間及びｍは１からｎ−２までの整数を取る第ｎ−ｍ個目の半導体スイッチのコレクタと第ｎ＋ｍ＋１個目の半導体スイッチのエミッタ間にそれぞれ接続されたｎ−１個のコンデンサと、前記第１の半導体スイッチ直列回路の前記直流電源直列回路の正極端子から第１個目の半導体スイッチのエミッタと第２ｎ個目の半導体スイッチのコレクタとの間に接続されたダイオードが逆並列接続された半導体スイッチを２ｎ−２個直列接続した第２の半導体スイッチ直列回路と、前記第２の半導体スイッチ直列回路の正側から第ｎ−１個目の半導体スイッチのコレクタと第ｎ個目の半導体スイッチのエミッタとの間及びｎが４以上の場合はｍが２からｎ−２までの整数を取る第ｎ−ｍ個目の半導体スイッチのコレクタと第ｎ＋ｍ−１個目の半導体スイッチのエミッタとの間にそれぞれ接続されたｎ−２個のコンデンサと、前記第２の半導体スイッチ直列回路の第ｎ−１個目の半導体スイッチのエミッタと前記直流電源直列回路の中間電位点との間に接続された双方向性のスイッチングが可能な双方向スイッチと、を備える。
【手続補正４】
【補正対象書類名】明細書
【補正対象項目名】００２０
【補正方法】変更
【補正の内容】
【００２０】
第２の発明においては、第１の発明と同様にｎは３以上の整数とし、２ｎ＋１レベルの電圧変化を有する電力変換回路を構成する。
第３の発明においては、第１又は第２の発明における、前記第１の半導体スイッチ直列回路の前記直流電源直列回路の正極端子から第１個目又は第２ｎ個目の半導体スイッチを複数個の直列接続構成とする。
【手続補正５】
【補正対象書類名】明細書
【補正対象項目名】００２１
【補正方法】変更
【補正の内容】
【００２１】
本発明では、２個の直流電源を直列接続した直流電源直列回路と、前記直流電源直列回路の正極端子と負極端子間に接続されダイオードが逆並列接続された半導体スイッチを２ｎ（ｎは３以上の整数）個直列接続した第１の半導体スイッチ直列回路と、前記第１の半導体スイッチ直列回路の前記直流電源直列回路の正極端子から第ｎ個目の半導体スイッチのコレクタと第ｎ＋１個目の半導体スイッチのエミッタ間及びｍは１からｎ−２までの整数を取る第ｎ−ｍ個目の半導体スイッチのコレクタと第ｎ＋ｍ＋１個目の半導体スイッチのエミッタ間にそれぞれ接続されたｎ−１個のコンデンサと、前記第１の半導体スイッチ直列回路の前記直流電源直列回路の正極端子から第１個目の半導体スイッチのエミッタと第２ｎ個目の半導体スイッチのコレクタとの間に接続されたダイオードが逆並列接続された半導体スイッチを２ｎ−２個直列接続した第２の半導体スイッチ直列回路と、前記第２の半導体スイッチ直列回路の正側から第ｎ−１個目の半導体スイッチのコレクタと第ｎ個目の半導体スイッチのエミッタとの間及びｎが４以上の場合はｍが２からｎ−２までの整数を取る第ｎ−ｍ個目の半導体スイッチのコレクタと第ｎ＋ｍ−１個目の半導体スイッチのエミッタとの間にそれぞれ接続されたｎ−２個のコンデンサと、前記第２の半導体スイッチ直列回路の第ｎ−１個目半導体スイッチのエミッタと前記直流電源直列回路の中間電位点との間に接続された双方向性のスイッチングが可能な双方向スイッチと、を備えるようにして、２ｎ＋１レベルの電圧変化を有する交流出力電圧を出力するようにしている。
【手続補正６】
【補正対象書類名】明細書
【補正対象項目名】００２４
【補正方法】変更
【補正の内容】
【００２４】
本発明の要点は、２個の直流電源を直列接続した直流電源直列回路と、前記直流電源直
列回路の正極端子と負極端子間に接続された半導体スイッチを２ｎ（ｎは３以上の整数）個直列接続した第１の半導体スイッチ直列回路と、前記第１の半導体スイッチ直列回路の前記直流電源直列回路の正極端子から第ｎ個目の半導体スイッチのコレクタと第ｎ＋１個目の半導体スイッチのエミッタ間及びｍは１からｎ−２までの整数を取る第ｎ−ｍ個目の半導体スイッチのコレクタと第ｎ＋ｍ＋１個目の半導体スイッチのエミッタ間にそれぞれ接続されたｎ−１個のコンデンサと、前記第１の半導体スイッチ直列回路の前記直流電源直列回路の正極端子から第１個目の半導体スイッチのエミッタと第２ｎ個目の半導体スイッチのコレクタとの間に接続された半導体スイッチを２ｎ−２個直列接続した第２の半導体スイッチ直列回路と、前記第２の半導体スイッチ直列回路の正側から第ｎ−１個目の半導体スイッチのコレクタと第ｎ個目の半導体スイッチのエミッタとの間及びｎが４以上の場合はｍが２からｎ−２までの整数を取る第ｎ−ｍ台目の半導体スイッチのコレクタと第ｎ＋ｍ−１個目の半導体スイッチのエミッタとの間にそれぞれ接続されたｎ−２個のコンデンサと、前記第２の半導体スイッチ直列回路の第ｎ−１個目の半導体スイッチのエミッタと前記直流電源直列回路の中間電位点との間に接続された双方向スイッチと、を備えるようにして、２ｎ＋１レベルの電圧変化を有する交流出力電圧を出力する点である。